【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
ジャック及びプラグを備えるモジュラー式通信コネクターのためのクロストーク補償装置であって、
前記ジャックは、金属片持ち梁から構成されたジャック接触子を有し、
前記装置は、前記ジャック接触子が設置された前記プラグとのインターフェースを画成するところとは略反対側に隣接して前記ジャック接触子に第１の端部で機械的且つ電気的に接続されたフレキシブル印刷回路を備え、該フレキシブル印刷回路は、絶縁変位コネクターに第２の端部で機械的且つ電気的に接続され、前記ジャック接触子と前記絶縁変位コネクターとの間に少なくとも２つの対のためのネットワーク経路を提供する、クロストーク補償装置。
【請求項２】
前記フレキシブル印刷回路は、その第２の端部で剛性印刷回路基板となるか又は剛性印刷回路基板に取り付けられている、請求項１に記載のクロストーク補償装置。
【請求項３】
前記ネットワーク経路は、クロストーク補償を提供する伝導性トレース経路を備え、該伝導性トレース経路は、近傍端部（ＮＥＸＴ）補償領域と、近傍端部（ＮＥＸＴ）クロストーク領域と、前記ジャック接触子と前記ＮＥＸＴ補償領域との間の第１の遷移領域と、前記ＮＥＸＴ補償領域と前記ＮＥＸＴクロストーク領域との間の第２の遷移領域とを備える、請求項１に記載のクロストーク補償装置。
【請求項４】
第１の周波数において、前記ＮＥＸＴクロストーク領域は、特性プラグのものにほぼ等しい、連係された総クロストークカップリングの大きさを有する、請求項３に記載のクロストーク補償装置。
【請求項５】
前記第１の周波数において、前記ＮＥＸＴ補償領域は、前記第１及び第２の遷移領域のカップリングと特性プラグのカップリングとの加算値の２倍よりも僅かに小さい総補償カップリングの大きさを有する、請求項４に記載のクロストーク補償装置。
【請求項６】
前記ＮＥＸＴ補償領域、前記ＮＥＸＴクロストーク領域、及び、前記第１及び第２の遷移領域は、各々分布カップリングを持ち、事実上遠隔カップリングを持っていない、請求項５に記載のクロストーク補償装置。
【請求項７】
第１の周波数において、設置された特性プラグのカップリングの有効中心と、ＮＥＸＴ補償領域の中心との間の第１の位相角度変化は、ＮＥＸＴクロストーク領域の中心とＮＥＸＴ補償領域の中心との間の第２の位相角度変化にほぼ等しい、請求項６に記載のクロストーク補償装置。
【請求項８】
合成した前方ＮＥＸＴは、逆ＮＥＸＴに実質的に等しい、請求項７に記載のクロストーク補償装置。
【請求項９】
前記ＮＥＸＴ補償領域は、周波数が増大するとき減少する大きさを有する遠隔補償カップリングを備える、請求項６に記載のクロストーク補償装置。
【請求項１０】
前記ＮＥＸＴ補償領域の総誘導性カップリングは、特性プラグ及び前記ジャックの総誘導性カップリングからＮＥＸＴ補償領域の誘導性カップリングを減算した値にほぼ等しい、請求項３に記載のクロストーク補償装置。
【請求項１１】
比較的低い遠方端部クロストーク（ＦＥＸＴ）を生じさせる、請求項１０に記載のクロストーク補償装置。
【請求項１２】
前記ＮＥＸＴ補償領域は、前記ＮＥＸＴクロストーク領域と長さがほぼ等しい、請求項３に記載のクロストーク補償装置。
【請求項１３】
前記ジャック接触子は、連係する長さ及び幅を各々有し、該幅は該長さよりも小さく、前記ジャック接触子は、前記プラグが前記ジャック内に設置されたとき信号電流をそれらの長さの下方にまで伝達しない、請求項１に記載のクロストーク補償装置。
【請求項１４】
前記絶縁変位コネクターの少なくとも２つは、交差されたステムを有する、請求項１に記載のクロストーク補償装置。
【請求項１５】
前記フレキシブル印刷回路は、該フレキシブル印刷回路が前記ジャック接触子に接続されたところで前記ジャック接触子から分岐している、請求項１に記載のクロストーク補償装置。
【請求項１６】
ジャック及びプラグを備えるモジュラー式通信コネクターのためのクロストーク補償装置であって、
前記ジャックは、金属片持ち梁から構成されたジャック接触子を有し、
前記装置は、前記ジャック接触子が設置された前記プラグとのインターフェースを画成するところとは略反対側に隣接して前記ジャック接触子に可撓性部材により第１の端部で機械的且つ電気的に接続された回路基板を備え、該回路基板は、絶縁変位コネクターに第２の端部で機械的且つ電気的に接続され、これによって前記ジャック接触子と前記絶縁変位コネクターとの間に少なくとも２つの対のためのネットワーク経路を提供する、クロストーク補償装置。
【請求項１７】
前記回路基板は、前記可撓性部材が前記ジャック接触子に接続されるところで前記ジャック接触子から分岐している、請求項１６に記載のクロストーク補償装置。
【請求項１８】
前記回路基板は、フレキシブル印刷回路である、請求項１６に記載のクロストーク補償装置。
【請求項１９】
前記フレキシブル印刷回路は、その第２の端部で剛性印刷回路基板となるか又は剛性印刷回路基板に取り付けられている、請求項１８に記載のクロストーク補償装置。
【請求項２０】
前記ネットワーク経路は、クロストーク補償を提供する伝導性トレース経路を備え、該伝導性トレース経路は、近傍端部（ＮＥＸＴ）補償領域と、近傍端部（ＮＥＸＴ）クロストーク領域と、前記ジャック接触子と前記ＮＥＸＴ補償領域との間の第１の遷移領域と、前記ＮＥＸＴ補償領域と前記ＮＥＸＴクロストーク領域との間の第２の遷移領域とを備える、請求項１８に記載のクロストーク補償装置。
【請求項２１】
第１の周波数において、前記ＮＥＸＴクロストーク領域は、特性プラグのものにほぼ等しい、連係された総クロストークカップリングの大きさを有する、請求項２０に記載のクロストーク補償装置。
【請求項２２】
前記第１の周波数において、前記ＮＥＸＴ補償領域は、前記第１及び第２の遷移領域のカップリングと特性プラグのカップリングとの加算値の２倍よりも僅かに小さい総補償カップリングの大きさを有する、請求項２１に記載のクロストーク補償装置。
【請求項２３】
前記ＮＥＸＴ補償領域、前記ＮＥＸＴクロストーク領域、及び、前記第１及び第２の遷移領域は、各々分布カップリングを持ち、事実上遠隔カップリングを持っていない、請求項２２に記載のクロストーク補償装置。
【請求項２４】
第１の周波数において、設置された特性プラグのカップリングの有効中心と、ＮＥＸＴ補償領域の中心との間の第１の位相角度変化は、ＮＥＸＴクロストーク領域の中心とＮＥＸＴ補償領域の中心との間の第２の位相角度変化にほぼ等しい、請求項２３に記載のクロストーク補償装置。
【請求項２５】
合成した前方ＮＥＸＴは、逆ＮＥＸＴに実質的に等しい、請求項２４に記載のクロストーク補償装置。
【請求項２６】
前記ＮＥＸＴ補償領域の総誘導性カップリングは、特性プラグ及び前記ジャックの総誘導性カップリングからＮＥＸＴ補償領域の誘導性カップリングを減算した値にほぼ等しい、請求項２０に記載のクロストーク補償装置。
【請求項２７】
比較的低い遠方端部クロストーク（ＦＥＸＴ）を生じさせる、請求項２６に記載のクロストーク補償装置。
【請求項２８】
前記ＮＥＸＴ補償領域は、前記ＮＥＸＴクロストーク領域と長さがほぼ等しい、請求項２０に記載のクロストーク補償装置。
【請求項２９】
前記ジャック接触子は、連係する長さ及び幅を各々有し、該幅は該長さよりも小さく、前記ジャック接触子は、前記プラグが前記ジャック内に設置されたとき信号電流をそれらの長さの下方にまで伝達しない、請求項１８に記載のクロストーク補償装置。
【請求項３０】
前記絶縁変位コネクターの少なくとも２つは、交差されたステムを有する、請求項１８に記載のクロストーク補償装置。
【請求項３１】
通信システムで使用するためのジャックであって、
前記ジャックは、第１の通信ケーブルを第２の通信ケーブルに接続するためプラグと協働してインターフェースを画成し、前記通信ケーブルの各々は、ワイヤ対に配置された複数のワイヤを有し、
前記ジャックは、
前記第１の通信ケーブルのワイヤに接続するための複数の絶縁変位接触子と、
前記プラグが前記ジャック内に挿入されたとき前記プラグ内で複数のプラグ接触子に接続するための複数のジャック接触子であって、前記プラグ接触子は前記第２の通信ケーブルのワイヤに接続されている、前記複数のプラグ接触子と、
前記第１の通信ケーブルのワイヤから前記第２の通信ケーブルのワイヤまで伝導経路を形成するため、前記複数の絶縁変位接触子に第１の端部で接続され、前記複数のジャック接触子に第２の端部で可撓的に接続された回路基板であって、該回路基板は、クロストーク補償を提供するように配置された伝導トレース経路を備える、前記回路基板と、
を備える、ジャック。
【請求項３２】
前記回路基板は、前記プラグが設置されたとき前記ジャック接触子が前記プラグ接触子とインターフェースを画定するところとは略反対側に隣接して前記ジャック接触子に取り付けられる可撓性部材を有するフレキシブル印刷回路基板である、請求項３１に記載のジャック。
【請求項３３】
可撓性部材は、前記プラグが設置されたとき前記ジャック接触子が前記プラグ接触子とインターフェースを画定するところとは略反対側に隣接して前記ジャック接触子に前記回路基板を取り付ける、請求項３１に記載のジャック。
【請求項３４】
前記回路基板は、フレキシブル印刷回路基板であり、前記第１の端部は、前記ジャック接触子により画定された平面に略垂直であり、前記第２の端部は、前記絶縁変位接触子への接続のため固く支持されている、請求項３３に記載のジャック。
【請求項３５】
前記回路基板は、フレキシブル印刷回路基板であり、該フレキシブル印刷回路基板は、その第１の端部からその第２の端部まで約１８０度曲がり、前記第１の端部は前記ジャック接触高により画定された平面に略垂直であり、前記第２の端部は、前記絶縁変位接触子に略垂直である、請求項３３に記載のジャック。
【請求項３６】
前記絶縁変位接触子は、少なくとも９０度の曲がり部分を各々備えるステムを有し、前記回路基板はフレキシブル印刷回路基板であり、該フレキシブル印刷回路基板は、その第１の端部からその第２の端部まで約９０度曲がり、前記第１の端部は前記ジャック接触高により画定された平面に略垂直であり、前記第２の端部は、前記絶縁変位接触子に略垂直である、請求項３３に記載のジャック。
【請求項３７】
前記可撓性印刷回路は、前記絶縁変位接触子が接続されたところで剛性基板に取り付けられている、請求項３４に記載のジャック。
【請求項３８】
前記伝導経路は、伝導性トレース経路を備え、該伝導性トレース経路は、近傍端部（ＮＥＸＴ）補償領域と、近傍端部（ＮＥＸＴ）クロストーク領域と、前記ジャック接触子と前記ＮＥＸＴ補償領域との間の第１の遷移領域と、前記ＮＥＸＴ補償領域と前記ＮＥＸＴクロストーク領域との間の第２の遷移領域とを備える、請求項３１に記載のクロストーク補償装置。
【請求項３９】
第１の周波数において、前記ＮＥＸＴクロストーク領域は、特性プラグのものにほぼ等しい、連係された総クロストークカップリングの大きさを有する、請求項３８に記載のジャック。
【請求項４０】
前記第１の周波数において、前記ＮＥＸＴ補償領域は、前記第１及び第２の遷移領域のカップリングと特性プラグのカップリングとの加算値の２倍よりも僅かに小さい総補償カップリングの大きさを有する、請求項３９に記載のジャック。
【請求項４１】
前記ＮＥＸＴ補償領域、前記ＮＥＸＴクロストーク領域、及び、前記第１及び第２の遷移領域は、各々分布カップリングを持ち、事実上遠隔カップリングを持っていない、請求項３８に記載のジャック。
【請求項４２】
第１の周波数において、設置された特性プラグのカップリングの有効中心と、ＮＥＸＴ補償領域の中心との間の第１の位相角度変化は、ＮＥＸＴクロストーク領域の中心とＮＥＸＴ補償領域の中心との間の第２の位相角度変化にほぼ等しく、これにより、前方ＮＥＸＴは逆ＮＥＸＴに実質的に等しくなる、請求項３８に記載のジャック。
【請求項４３】
前記ＮＥＸＴ補償領域の総誘導性カップリングは、前記特性プラグ及び前記ジャックの総誘導性カップリングからＮＥＸＴ補償領域の誘導性カップリングを減算した値にほぼ等しく、これにより、減少した遠方端部クロストーク（ＦＥＸＴ）を生じさせる、請求項４２に記載のジャック。
【請求項４４】
前記ＮＥＸＴ補償領域は、前記ＮＥＸＴクロストーク領域と長さがほぼ等しい、請求項３８に記載のジャック。
【請求項４５】
前記ジャック接触子は、連係する長さ及び幅を各々有し、該幅は該長さよりも小さく、前記ジャック接触子は、前記プラグが前記ジャック内に設置されたとき信号電流をそれらの長さの下方にまで伝達しない、請求項３１に記載のジャック。
【請求項４６】
前記絶縁変位接触子の少なくとも２つは、交差されたステムを有する、請求項３１に記載のジャック。